(57)【要約】【課題】法令等により受信が禁じられているカラーシステムが受信されることや、何等放送信号を受信できないといった事態の発生を未然に防止する。【解決手段】ＴＶアプリケーションプログラム２０１は、地域をユーザに指定させる機能を有している。指定された地域が１種類のカラーシステムのみに対応する地域であれば、ＴＶアプリケーションプログラム２０１は、ＴＶチューナ回路１２３によって受信されるＴＶ放送信号を当該指定された地域に対応するカラーシステムに固定する。また、指定された地域が、当該地域に対応するカラーシステム以外の他のカラーシステムの受信が法令等によって禁止されている地域である場合にも、ＴＶアプリケーションプログラム２０１は、ＴＶチューナ回路１２３によって受信されるＴＶ放送信号を当該地域に対応するカラーシステムに固定する。【選択図】      図３
2006238208.tif 000002
【特許請求の範囲】
【請求項１】
複数種のカラーシステムそれぞれに対応する複数種の放送信号を受信可能なチューナ回路と、
前記チューナ回路が前記放送信号を受信する地域を指定する地域指定情報を入力し、前記入力された地域指定情報によって指定される地域が特定の地域である場合、前記チューナ回路によって受信される放送信号のカラーシステムを前記指定された地域に対応する特定のカラーシステムに固定する制御手段とを具備することを特徴とするチューナ装置。
【請求項２】
前記特定の地域は、複数のカラーシステムに対応していない地域であることを特徴とする請求項１記載のチューナ装置。
【請求項３】
前記複数種の放送信号それぞれに対応する周波数をスキャンして前記複数種のカラーシステムの中から受信可能なカラーシステムを検出するスキャン処理を実行するスキャン手段をさらに具備し、
前記制御手段は、前記入力された地域指定情報によって指定される地域が前記特定の地域である場合、前記スキャン手段を制御して前記スキャン処理によって検出される前記受信可能なカラーシステムを前記指定された地域に対応する前記特定のカラーシステムに制限する手段を含むことを特徴とする請求項１記載のチューナ装置。
【請求項４】
選択可能なカラーシステム候補の一覧を表示する手段と、
前記カラーシステム候補の一覧の中から前記チューナ回路によって受信されるカラーシステムを選択する手段とをさらに具備し、
前記制御手段は、前記入力された地域指定情報によって指定される地域が前記特定の地域である場合、前記指定された地域に対応する前記特定のカラーシステム以外の他のカラーシステムを選択対象から除外する処理を実行する手段を含むことを特徴とする請求項１記載のチューナ装置。
【請求項５】
前記制御手段は、複数の地域と当該複数の地域の各々で受信可能なカラーシステムの種類との関係を示すカラーシステム情報に基づいて、前記地域指定情報によって指定される地域で受信可能なカラーシステムが特定の一つのカラーシステムであるか否かを判定する手段と、前記地域指定情報によって指定される地域で受信可能なカラーシステムが特定の一つのカラーシステムである場合、前記チューナ回路によって受信される放送信号のカラーシステムを前記特定の一つのカラーシステムに固定する手段とを含むことを特徴とする請求項１記載のチューナ装置。
【請求項６】
前記制御手段は、各地域毎に当該地域に対応するカラーシステムを示す情報と当該カラーシステム以外の他のカラーシステムの受信が禁止されているか否かを示す情報とを含むカラーシステム情報に基づいて、前記地域指定情報によって指定される地域が前記他のカラーシステムの受信が禁止されている地域であるか否かを判定する手段と、前記地域指定情報によって指定される地域が前記他のカラーシステムの受信が禁止されている地域である場合、前記チューナ回路によって受信される放送信号のカラーシステムを、前記地域指定情報によって指定される地域に対応するカラーシステムに固定して前記他のカラーシステムの受信を禁止する手段とを含むことを特徴とする請求項１記載のチューナ装置。
【請求項７】
放送信号を受信可能な電子機器において、
複数種のカラーシステムそれぞれに対応する複数種の放送信号を受信可能なチューナ回路と、
前記チューナ回路が前記放送信号を受信する地域を指定するデータを入力する入力部と、
前記入力されたデータによって指定される地域が特定の地域である場合、前記チューナ回路によって受信される放送信号のカラーシステムを前記指定された地域に対応する特定のカラーシステムに固定する制御手段と、
前記チューナ回路によって受信された放送信号に含まれる映像データを表示する表示部とを具備することを特徴とする電子機器。
【請求項８】
前記特定の地域は、複数のカラーシステムに対応していない地域であることを特徴とする請求項７記載のチューナ装置。
【請求項９】
前記複数種の放送信号それぞれに対応する周波数をスキャンして前記複数種のカラーシステムの中から受信可能なカラーシステムを検出するスキャン処理を実行するスキャン手段をさらに具備し、
前記制御手段は、前記入力されたデータによって指定される地域が前記特定の地域である場合、前記スキャン手段を制御して前記スキャン処理によって検出される前記受信可能なカラーシステムを前記指定された地域に対応する前記特定のカラーシステムに制限する手段を含むことを特徴とする請求項７記載の電子機器。
【請求項１０】
選択可能なカラーシステム候補の一覧を表示する手段と、
前記カラーシステム候補の一覧の中から前記チューナ回路によって受信されるカラーシステムを選択する手段とをさらに具備し、
前記制御手段は、前記入力されたデータによって指定される地域が前記特定の地域である場合、前記指定された地域に対応する前記特定のカラーシステム以外の他のカラーシステムを、選択対象から除外する処理を実行する手段を含むことを特徴とする請求項７記載の電子機器。
【発明の詳細な説明】
【技術分野】
【０００１】
本発明は放送信号を受信するためのチューナ装置および電子機器に関する。
【背景技術】
【０００２】
近年、ノートブックタイプ、ラップトップタイプの携帯可能な様々なパーソナルコンピュータが開発されている。最近では、この種のパーソナルコンピュータにおいても、オーディオ・ビデオ（ＡＶ）機能の向上を図るために、ＴＶ放送信号のような放送信号を受信するためのチューナの搭載が進められている。
【０００３】
ところで、現在、世界の多数の地域では、様々なＴＶ規格（カラーシステム）が採用されている。例えば、日本、北米などで使用されているカラーシステムはＮＴＳＣ−Ｍであり、ドイツ等で使用されているカラーシステムはＰＡＬ−ＢＧである。また、何種類かのカラーシステムそれぞれに対応する放送信号が用いられている地域もある。
【０００４】
そこで、最近では、複数種のカラーシステムそれぞれに対応する複数種のＴＶ放送信号を受信可能な、いわゆる全世界対応のチューナが開発され始めている。
【０００５】
特許文献１には、世界各国で使用できるＴＶチューナが開示されている。このＴＶチューナは、様々なＴＶ規格に対応する複数種のＴＶ放送信号を正しく受信することができる。
【特許文献１】米国特許第６，３４０，９９７号明細書
【発明の開示】
【発明が解決しようとする課題】
【０００６】
このような全世界対応のチューナを搭載したシステムにおいては、通常、現在受信中の放送信号に対応するカラーシステムを自動判別する自動設定機能、またはユーザによる手動操作で受信すべきカラーシステムをチューナに設定するマニュアル設定機能などが設けられている。
【０００７】
しかしながら、地域によっては、法令等により受信が禁じられているカラーシステムが存在する。この場合、受信が禁じられているカラーシステムが自動設定機能やマニュアル設定機能によって受信されてしまう危険がある。これは、一種の法令違反となる。
【０００８】
また、１種類のカラーシステムだけをサポートする地域も多く存在する。このような地域においては、その地域に対応するカラーシステム以外の他のカラーシステムの放送信号を受信すること自体が基本的には不可能である。よって、このような地域においては、もし自動設定機能の誤判別やユーザによるマニュアル設定機能の誤操作等によって受信すべきカラーシステムが当該地域でサポートされていないカラーシステムに変更されてしまうと、何等放送信号を受信することができなくなってしまう。
【０００９】
本発明は上述の事情を考慮してなされたものであり、法令等により受信が禁じられているカラーシステムが受信されることや、何等放送信号を受信できないといった事態の発生を未然に防止することが可能なチューナ装置および電子機器を提供することを目的とする。
【課題を解決するための手段】
【００１０】
上述の課題を解決するため、本発明のチューナ装置は、複数種のカラーシステムそれぞれに対応する複数種の放送信号を受信可能なチューナ回路と、前記チューナ回路が前記放送信号を受信する地域を指定する地域指定情報を入力し、前記入力された地域指定情報によって指定される地域が特定の地域である場合、前記チューナ回路によって受信される放送信号のカラーシステムを前記指定された地域に対応する特定のカラーシステムに固定する制御手段とを具備することを特徴とする。
【００１１】
また、本発明は、放送信号を受信可能な電子機器において、複数種のカラーシステムそれぞれに対応する複数種の放送信号を受信可能なチューナ回路と、前記チューナ回路が前記放送信号を受信する地域を指定するデータを入力する入力部と、前記入力されたデータによって指定される地域が特定の地域である場合、前記チューナ回路によって受信される放送信号のカラーシステムを前記指定された地域に対応する特定のカラーシステムに固定する制御手段と、前記チューナ回路によって受信された放送信号に含まれる映像データを表示する表示部とを具備することを特徴とする。
【発明の効果】
【００１２】
本発明によれば、法令等により受信が禁じられているカラーシステムが受信されることや、何等放送信号を受信できないといった事態の発生を未然に防止することが可能となる。
【発明を実施するための最良の形態】
【００１３】
以下、図面を参照して、本発明の実施形態を説明する。  
まず、図１および図２を参照して、本発明の一実施形態に係る電子機器の構成について説明する。この電子機器はチューナ回路を搭載した携帯型電子機器であり、例えば、ノートブック型パーソナルコンピュータ１０のような情報処理装置として実現されている。
【００１４】
図１はノートブック型パーソナルコンピュータ１０のディスプレイユニットを開いた状態における斜視図である。本コンピュータ１０は、コンピュータ本体１１と、ディスプレイユニット１２とから構成されている。ディスプレイユニット１２には、ＴＦＴ−ＬＣＤ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ）１７から構成される表示装置が組み込まれており、そのＬＣＤ１７の表示画面はディスプレイユニット１２のほぼ中央に位置されている。
【００１５】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１を電源オン／オフするためのパワーボタン１４、入力操作パネル１５、およびタッチパッド１６などが配置されている。
【００１６】
入力操作パネル１５は、押されたボタンに対応するイベントを入力する入力装置であり、複数の機能をそれぞれ起動するための複数のボタンを備えている。これらボタン群には、ＴＶ起動ボタン１５Ａ、ＤＶＤ／ＣＤ起動ボタン１５Ｂも含まれている。ＴＶ起動ボタン１５Ａは、ＴＶ放送番組データの再生及び記録を行うためのＴＶ機能を起動するためのボタンである。ＴＶ起動ボタン１５Ａがユーザによって押下された時、ＴＶ機能を実行するためのＴＶアプリケーションプログラムが自動的に起動される。
【００１７】
本コンピュータにおいては、汎用の主オペレーティングシステムの他に、ＡＶ（オーディオ・ビデオ）データを処理するための専用の副オペレーティングシステムがインストールされている。ＴＶアプリケーションプログラムは、副オペレーティングシステム上で動作するプログラムである。
【００１８】
パワーボタン１４がユーザによって押下された時、主オペレーティングシステムが起動される。一方、ＴＶ起動ボタン１５Ａがユーザによって押下された時は、主オペレーティングシステムではなく、副オペレーティングシステムが起動され、そしてＴＶアプリケーションプログラムが自動的に実行される。副オペレーティングシステムはＡＶ機能を実行するための最小限の機能のみを有している。このため、副オペレーティングシステムのブートアップに要する時間は、主オペレーティングシステムのブートアップに要する時間に比べて遙かに短い。よって、ユーザは、ＴＶ起動ボタン１５Ａを押すだけで、ＴＶ視聴／録画を即座に行うことが出来る。
【００１９】
ＤＶＤ／ＣＤ起動ボタン１５Ｂは、ＤＶＤまたはＣＤに記録されたビデオコンテンツを再生するためのボタンである。ＤＶＤ／ＣＤ起動ボタン１５Ｂがユーザによって押下された時、ビデオコンテンツを再生するためのビデオ再生アプリケーションプログラムが自動的に起動される。このビデオ再生アプリケーションプログラムも、副オペレーティングシステム上で動作するアプリケーションプログラムである。ＤＶＤ／ＣＤ起動ボタン１５Ｂがユーザによって押下された時は、主オペレーティングシステムではなく、副オペレーティングシステムが起動され、そしてビデオ再生アプリケーションプログラムが自動的に実行される。
【００２０】
次に、図２を参照して、本コンピュータ１０のシステム構成について説明する。
【００２１】
本コンピュータ１０は、図２に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、ＴＶチューナ１２３、エンベデッドコントローラ／キーボードコントローラＩＣ（ＥＣ／ＫＢＣ）１２４、およびネットワークコントローラ１２５等を備えている。
【００２２】
ＣＰＵ１１１は本コンピュータ１０の動作を制御するために設けられたプロセッサであり、ハードディスクドライブ（ＨＤＤ）１２１から主メモリ１１３にロードされる、主オペレーティングシステム／副オペレーティングシステム、およびＴＶアプリケーションプログラム２０１のような各種アプリケーションプログラムを実行する。
【００２３】
ＴＶアプリケーションプログラム２０１は、ＴＶチューナ回路１２３を制御すると共に、ＴＶチューナ回路１２３によって受信されたＴＶ放送信号に含まれる放送番組データを再生する機能を有している。また、ＴＶアプリケーションプログラム２０１は、本コンピュータ１０を使用する地域（国）をユーザに指定させる機能、および指定された地域に応じて、ＴＶチューナ回路１２３によって受信されるＴＶ放送信号を指定された地域に対応する特定のカラーシステムに固定するか否かを判別する機能を有している。指定された地域が１種類のカラーシステムのみに対応する地域であれば、ＴＶアプリケーションプログラム２０１は、ＴＶチューナ回路１２３によって受信されるＴＶ放送信号を当該指定された地域に対応するカラーシステムに固定する。また、指定された地域が、当該地域に対応するカラーシステム以外の他のカラーシステムの受信が法令等によって禁止されている地域である場合にも、ＴＶアプリケーションプログラム２０１は、ＴＶチューナ回路１２３によって受信されるＴＶ放送信号を当該地域に対応するカラーシステムに固定する。カラーシステムが一旦固定されると、ユーザが別の地域を指定しない限り、ＴＶチューナ回路１２３によって受信すべきカラーシステムを変更することはできない。本コンピュータ１０においては、キーボード（ＫＢ）１３が、チューナ回路１２３が放送信号を受信する地域を指定するデータを入力するための入力部として利用される。
【００２４】
また、ＣＰＵ１１１は、ＢＩＯＳ−ＲＯＭ１２０に格納されたシステムＢＩＯＳ（Ｂａｓｉｃ  Ｉｎｐｕｔ  Ｏｕｔｐｕｔ  Ｓｙｓｔｅｍ）も実行する。システムＢＩＯＳはハードウェア制御のためのプログラムである。
【００２５】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Ａｃｃｅｌｅｒａｔｅｄ  Ｇｒａｐｈｉｃｓ  Ｐｏｒｔ）バスなどを介してグラフィクスコントローラ１１４との通信を実行する機能も有している。
【００２６】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）１１４Ａに書き込まれた映像データをＬＣＤ１７に表示する。ＴＶチューナ回路１２３によって受信されるＴＶ放送信号に含まれる放送番組データの映像データは、ＣＰＵ１１１の制御の下、ビデオメモリ（ＶＲＡＭ）１１４Ａに書き込まれる。これにより、放送番組データの映像データがＬＣＤ１７に表示される。
【００２７】
サウスブリッジ１１９は、ＬＰＣ（Ｌｏｗ  Ｐｉｎ  Ｃｏｕｎｔ）バス上の各デバイス、およびＰＣＩ（Ｐｅｒｉｐｈｅｒａｌ  Ｃｏｍｐｏｎｅｎｔ  Ｉｎｔｅｒｃｏｎｎｅｃｔ）バス上の各デバイスを制御する。また、サウスブリッジ１１９は、ＨＤＤ１２１、ＯＤＤ１２２を制御するためのＩＤＥ（Ｉｎｔｅｇｒａｔｅｄ  Ｄｒｉｖｅ  Ｅｌｅｃｔｒｏｎｉｃｓ）コントローラを内蔵している。さらに、サウスブリッジ１１９は、ＴＶチューナ回路１２３を制御する機能、およびＢＩＯＳ−ＲＯＭ１２０をアクセス制御するための機能も有している。
【００２８】
ＨＤＤ１２１は、各種ソフトウェア及びデータを格納する記憶装置である。光ディスクドライブ（ＯＤＤ）１２３は、ビデオコンテンツが格納されたＤＶＤ、ＣＤなどの記憶メディアを駆動するためのドライブユニットである。
【００２９】
ＴＶチューナ回路１２３は全世界対応のＴＶチューナであり、例えば、ＮＴＳＣ−Ｍ、ＰＡＬ−／Ｉ、ＰＡＬ−Ｂ／Ｇ、ＳＥＣＡＭ−Ｌ／Ｌ’、ＰＡＬ−Ｄ／Ｄなどのような複数種のカラーシステム（ＴＶ放送方式）をサポートしている。ＴＶチューナ回路１２３は、これら複数種のカラーシステムそれぞれに対応する複数種のＴＶ放送信号を受信することができる。すなわち、ＴＶチューナ回路１２３は、複数種のカラーシステムそれぞれに対応する様々なＴＶ放送信号周波数に同調でき、且つ受信したＴＶ放送信号のカラーシステムに対応する復調動作を実行できるように構成されている。
【００３０】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１２４は、ユーザによるＴＶ起動ボタン１５Ａ、ＤＶＤ／ＣＤ起動ボタン１５Ｂの操作に応じて、本コンピュータ１０をパワーオンすることもできる。ネットワークコントローラ１２５は、例えばインターネットなどの外部ネットワークとの通信を実行する通信装置である。
【００３１】
次に、図３を参照して、ＴＶアプリケーションプログラム２０１によって実現されるＴＶ制御システムの構成について説明する。
【００３２】
ＴＶアプリケーションプログラム２０１は、ＴＶドライバプログラム２０２を介してＴＶチューナ回路１２３を制御する。このＴＶアプリケーションプログラム２０１は、ＴＶチューナ回路１２３を制御するためのＴＶ制御モジュールとして、図示のように、ＴＶ受信信号制御モジュール２１１、カラーシステム判別モジュール２１２、スキャンモジュール２１３、地域設定モジュール２１４、マニュアル設定モジュール２１５、およびカラーシステム固定モジュール２１６を備えている。
【００３３】
ＴＶチューナ回路１２３によって受信された放送信号はＴＶドライバプログラム２０２を介してＴＶ受信信号制御モジュール２１１に送られ、そのＴＶ受信信号制御モジュール２１１の制御の下に、ＴＶチューナ回路１２３によって受信されるべき放送信号に関する各種制御処理が実行される。カラーシステム判別モジュール２１２は、ＴＶチューナ回路１２３によって受信された放送信号のカラーシステムを判別する処理を実行する。
【００３４】
スキャンモジュール２１３は、ＴＶチューナ回路１２３がサポートする複数種のカラーシステムそれぞれに対応する放送信号周波数をスキャンして、ＴＶチューナ回路１２３が現在受信可能な放送信号の周波数およびカラーシステム等を検出するためのスキャン処理を実行する。地域設定モジュール２１４は、ＴＶチューナ回路１２３が放送信号を受信する地域、つまり本コンピュータ１０を使用する地域をユーザに指定させるための地域設定処理を実行する。ユーザによって指定された地域を示す地域指定情報（地域コードまたは国コード）はユーザ選択情報記憶部２０３に格納される。
【００３５】
マニュアル設定モジュール２１５は、各チャンネル毎の周波数およびカラーシステム等の設定操作をユーザに実行させるマニュアル設定処理を実行する。マニュアル設定処理においては、選択可能なカラーシステム候補の一覧が表示され。そして、ユーザの操作に従って、カラーシステム候補の一覧の中からＴＶチューナ回路１２３によって受信されるカラーシステムを選択する処理が実行される。
【００３６】
カラーシステム固定モジュール２１６は、ユーザによって指定された地域に対応する地域が特定の地域である場合、カラーシステム情報記憶部２０４に格納されたカラーシステム情報に参照して、ＴＶチューナ回路１２３によって受信される放送信号のカラーシステムを当該指定された地域に対応する特定のカラーシステムに固定する処理を実行し、これによって他のカラーシステムへの変更を禁止する。特定の地域は、複数のカラーシステムに対応していない地域、例えば、カラーシステムの変更が法令等によって禁止されている地域である。このカラーシステム固定モジュール２１６によるカラーシステム固定機能により、法令等によって視聴が禁止されている放送番組が受信されることを未然に防止することができる。また、受信可能なカラーシステムが１種類のみの地域を上述の特定の地域であると判定してもよい。これにより、受信できないカラーシステムが誤って選択され、これにより何等放送番組を試聴することができなくなるという不具合の発生も未然に防止することができる。
【００３７】
図４には、カラーシステム情報の例が示されている。
【００３８】
このカラーシステム情報は、複数の地域と当該複数の地域の各々で受信可能なカラーシステムの種類との関係を示す。また、このカラーシステム情報には、各地域毎に当該地域に対応するカラーシステム以外の他のカラーシステムを受信することが禁止されているか否かを示すカラーシステム変更禁止フラグも定義されている。カラーシステム変更禁止フラグ＝“ＯＮ”は、他のカラーシステムの受信禁止を示す。カラーシステム固定モジュール２１６は、図４のカラーシステム情報を参照して、ユーザによって指定された地域が上述の特定地域であるか否かを判定する。
【００３９】
次に、図５のフローチャートを参照して、地域設定モジュール２１４によって実行される地域設定処理の手順を説明する。
【００４０】
例えば、本コンピュータ１０のシステム初期設定時（初回起動時、リカバリー時）に、地域設定モジュール２１４は、ユーザにＴＶ視聴を行う地域を選択させるための初期メニューをＬＣＤ１７に表示する（ステップＳ１０１）。ユーザは、キーボード１３を操作することにより、初期メニュー上に表示された多数の地域の中から一つの地域を選択することができる。地域設定モジュール２１４は、ユーザによって選択された地域を示す地域コードを、ＴＶチューナ回路１２３が放送信号を受信する地域を指定する地域指定情報としてユーザ選択情報記憶部２０３に保存する（ステップＳ１０２）。
【００４１】
なお、上述の地域設定処理は、例えば、ＴＶアプリケーションプログラム２０１によって提供されるセットアップメニューを呼び出すことによって、システム動作中に実行することもできる。
【００４２】
次に、図６のフローチャートを参照して、カラーシステム固定モジュール２１６によって実行されるカラーシステム固定処理について説明する。
【００４３】
カラーシステム固定モジュール２１６は、地域設定処理が行われる度に、以下の処理を実行する。すなわち、カラーシステム固定モジュール２１６は、まず、地域指定情報をユーザ設定情報記憶部２０３から入力する（ステップＳ１１１）。カラーシステム固定モジュール２１６は、地域指定情報で指定された地域に応じて、ＴＶチューナ回路１２３が受信する放送信号のカラーシステムを特定のカラーシステムに固定するか否かを決定する。つまり、カラーシステム固定モジュール２１６は、カラーシステム情報を参照して、地域指定情報で指定された地域が上述の特定地域（複数のカラーシステムに対応していない地域）であるか否かを判定する（ステップＳ１１２）。もし地域指定情報で指定された地域が上述の特定地域であれば（ステップＳ１１２のＹＥＳ）、カラーシステム固定モジュール２１６は、ＴＶチューナ回路１２３が受信する放送信号のカラーシステムを地域指定情報で指定された地域に対応する特定のカラーシステムに固定する処理を実行する（ステップＳ１１３）。このステップＳ１１３では、ＴＶチューナ回路１２３が当該特定のカラーシステムのみを受信するように設定されるとともに、ＴＶチューナ回路１２３が受信可能な放送信号は地域指定情報で指定された地域に対応する特定のカラーシステムのみに限定され、他のカラーシステムへの変更操作の実行は一切禁止される。
【００４４】
次に、他のカラーシステムへの変更を禁止するための具体的な処理の例について説明する。
【００４５】
図７は、他のカラーシステムへの変更禁止処理を含むスキャン処理の手順を示すフローチャートである。
【００４６】
スキャンモジュール２１３は、スキャン処理の実行に先立ち、まず、地域指定情報で指定された地域が複数のカラーシステムに対応した地域であるか否かを判別する（ステップＳ１２１、Ｓ１２２）。指定された地域が複数のカラーシステムに対応した地域であれば（ステップＳ１２２のＹＥＳ）、スキャンモジュール２１３は、カラーシステム固定機能をＯＦＦする（ステップＳ１２３）。一方、指定された地域が複数のカラーシステムに対応していない特定地域であるならば（ステップＳ１２２のＮＯ）、スキャンモジュール２１３は、カラーシステム固定機能をＯＮする（ステップＳ１２４）。この後、スキャンモジュール２１３は、指定された地域が特定地域であるか否かの判定結果に従って、スキャン処理を実行する（ステップＳ１２５）。もしカラーシステム固定機能がＯＮであれば、スキャン処理によって検出されるカラーシステムは、指定された地域に対応する特定のカラーシステムのみに制限される。このスキャン処理の手順を図８に示す。
【００４７】
すなわち、スキャンモジュール２１３は、カラーシステム固定機能がＯＦＦであれば（ステップＳ１３１のＮＯ）、ＴＶチューナ回路１２３がサポートする複数種のカラーシステムそれぞれに対応する放送信号周波数をスキャンして、ＴＶチューナ回路１２３が現在受信可能な放送信号の周波数およびカラーシステム等を検出する（ステップＳ１３２）。そして、スキャンモジュール２１３は、検出された各放送信号の周波数およびカラーシステムを受信可能な放送信号を示す情報としてユーザ選択情報記憶部２０３に登録する（ステップＳ１３３）。
【００４８】
一方、カラーシステム固定機能がＯＮであれば（ステップＳ１３１のＹＥＳ）、スキャンモジュール２１３は、ＴＶチューナ回路１２３がサポートする複数種のカラーシステムそれぞれに対応する放送信号周波数をスキャンして、ＴＶチューナ回路１２３が現在受信可能な放送信号の周波数およびカラーシステム等を検出する（ステップＳ１３４）。そして、スキャンモジュール２１３は、ステップＳ１３４で検出された放送信号毎に、その放送新語に対応するカラーシステムが、指定された地域に対応する特定のカラーシステムであるか否かを判断する（ステップＳ３１５）。検出された放送信号に対応するカラーシステムが指定された地域に対応する特定のカラーシステムであれば（ステップＳ３１５のＹＥＳ）、スキャンモジュール２１３は、当該放送信号の周波数およびカラーシステムを受信可能な放送信号を示す情報としてユーザ選択情報記憶部２０３に登録する（ステップＳ１３６）、検出された放送信号に対応するカラーシステムが指定された地域に対応する特定のカラーシステムではないならば（ステップＳ３１５のＮＯ）、当該検出された放送信号については登録処理は実行されない。このようにして、スキャン処理によって検出されるカラーシステムは、指定された地域に対応する特定のカラーシステムのみに制限される。
【００４９】
図９は、他のカラーシステムへの変更禁止処理を含むマニュアル設定処理の手順を示すフローチャートである。
【００５０】
マニュアル設定機能がユーザによって呼び出されたとき、マニュアル設定モジュール２１５は、まず、地域指定情報で指定された地域が複数のカラーシステムに対応した地域であるか否かを判別する（ステップＳ１４１、Ｓ１４２）。指定された地域が複数のカラーシステムに対応した地域であれば（ステップＳ１４２のＹＥＳ）、マニュアル設定モジュール２１５は、カラーシステム固定機能をＯＦＦする（ステップＳ１４３）。一方、指定された地域が複数のカラーシステムに対応していない特定地域であるならば（ステップＳ１４２のＮＯ）、マニュアル設定モジュール２１５は、カラーシステム固定機能をＯＮする（ステップＳ１４４）。この後、マニュアル設定モジュール２１５は、指定された地域が特定地域であるか否かの判定結果に従って、選択可能なカラーシステム候補の一覧の中から受信すべきカラーシステムをユーザに選択させるためのマニュアル設定処理を実行する（ステップＳ１４５）。もしカラーシステム固定機能がＯＮであれば、指定された地域に対応する特定のカラーシステム以外の他のカラーシステムは、選択対象から除外される。このマニュアル設定の手順を図１０に示す。
【００５１】
すなわち、マニュアル設定モジュール２１５は、カラーシステム固定機能がＯＦＦであれば（ステップＳ１５１のＮＯ）、チャンネル毎に周波数およびカラーシステムを個別設定するための設定画面上に、複数のカラーシステム候補の一覧を示すカラーシステム選択メニューを表示する（ステップＳ１６１）。設定画面上には、図１１に示すように、入力チャンネル番号を設定するためのボタン４０１、入力チャンネル番号に割り当てるべき表示チャンネル番号を設定するためのボタン４０２、周波数を設定するためのボタン４０３、およびカラーシステムを設定するためのボタン４０４が配置されている。ボタン４０４がユーザによるキーボードまたはマウス操作によって選択された時、カラーシステム選択メニュー４０５が表示される。このカラーシステム選択メニュー４０５には、ＴＶチューナ回路１２３がサポートしている全てのカラーシステムが一覧表示される。マニュアル設定モジュール２１５は、ユーザによるキーボードまたはマウス操作に応じて、カラーシステム選択メニュー４０５の中から一つのカラーシステムを選択し、その選択したカラーシステムを、入力チャンネル番号、表示チャンネル番号、周波数を示す情報と一緒に、ユーザ選択情報記憶部２０３に登録する（ステップＳ１６２）。
【００５２】
一方、カラーシステム固定機能がＯＮであれば（ステップＳ１５１のＹＥＳ）、マニュアル設定モジュール２１５は、指定された地域に対応する特定のカラーシステム以外の他の全てのカラーシステムを、選択対象から除外する処理を実行する（ステップＳ１６３）。この場合、ボタン４０４はグレーアウトされる。ユーザは、指定された地域に対応する特定のカラーシステム以外の他のカラーシステムを選択することはできない。つまり、個別設定処理においては、カラーシステムの変更を行うことができず、指定された地域に対応する特定のカラーシステムが常に使用される。
【００５３】
以上のように、本実施形態においては、特定の地域が指定された場合には、ＴＶチューナ回路１２３によって受信される放送信号のカラーシステムは当該指定された地域に対応するカラーシステムに自動的に固定され、他のカラーシステムへの変更は禁止される。よって、法令等により受信が禁じられているカラーシステムが受信されることや、何等放送信号を受信できないといった事態の発生を未然に防止することが可能となる。
【００５４】
なお、このようなカラーシステム固定機能は、チューナ回路１２３とこのチューナ回路１２３を制御するコントローラまたはドライバプログラムとを含むチューナ装置単体で実現することもできる。
【００５５】
また、コンピュータ１０に限らず、携帯型のＴＶ受信機などに適用することも可能である。
【００５６】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００５７】
【図１】本発明の一実施形態に係るコンピュータの概観を示す斜視図。
【図２】図１のコンピュータのシステム構成を示すブロック図。
【図３】図１のコンピュータで用いられるＴＶアプリケーションプログラムの機能構成を示すブロック図。
【図４】図１のコンピュータで用いられるカラーシステム情報の例を示す図。
【図５】図１のコンピュータによって実行される地域選択処理の手順を示すフローチャート。
【図６】図１のコンピュータによって実行されるカラーシステム固定処理の手順を示すフローチャート。
【図７】図１のコンピュータによって実行されるスキャン処理の一部の手順を示すフローチャート。
【図８】図７のスキャン処理の残りの部分の手順を示すフローチャート。
【図９】図１のコンピュータによって実行されるマニュアル設定処理の一部の手順を示すフローチャート。
【図１０】図９のマニュアル設定処理の残りの部分の手順を示すフローチャート。
【図１１】図１のコンピュータで用いられる設定画面の例を示す図。
【符号の説明】
【００５８】
１０…コンピュータ、１１１…ＣＰＵ、１２３…ＴＶチューナ回路、２０１…ＴＶアプリケーションプログラム、２１３…スキャンモジュール、２１４…地域設定モジュール、２１５…マニュアル設定モジュール、２１６…カラーシステム固定モジュール。
【図１】
2006238208.tif 000003
【図２】
2006238208.tif 000004
【図３】
2006238208.tif 000005
【図４】
2006238208.tif 000006
【図５】
2006238208.tif 000007
【図６】
2006238208.tif 000008
【図７】
2006238208.tif 000009
【図８】
2006238208.tif 000010
【図９】
2006238208.tif 000011
【図１０】
2006238208.tif 000012
【図１１】
2006238208.tif 000013